(57)【要約】【課題】メディアカードのメディアカードコネクタへの挿抜状態およびメディアカードコネクタに接続されているメディアカードの種類又はインデックスを容易に確認することができる電子機器を提供すること。【解決手段】キーボードと、上壁と、当該上壁に形成されるとともに前記キーボードが載置される第１の開口部と、外部部材を収納する第２の開口部とを有した筐体と、前記筐体内に設けられ、発光する発光部と、を備え、前記筺体は、前記上壁に形成されるとともに、前記発光部からの光を透過させる窓部を有した。【選択図】        図１
2010146397.tif 000002
【特許請求の範囲】
【請求項１】
キーボードと、
上壁と、当該上壁に形成されるとともに前記キーボードが載置される第１の開口部と、外部部材を収納する第２の開口部とを有した筐体と、
前記筐体内に設けられ、発光する発光部と、
を備え、
前記筺体は、前記上壁に形成されるとともに、前記発光部からの光を透過させる窓部を有し、
前記第２の開口部は、前記窓部と前記発光部との間に形成され、前記発光部から前記窓部までの少なくとも一部の光路を遮断する位置に前記外部部材を収容する、
ことを特徴とする電子機器。
【請求項２】
前記窓部は、前記第２の開口部に収容された前記外部部材の少なくとも一部を視認可能に前記上壁に形成された、
ことを特徴とする請求項１に記載の電子機器。
【請求項３】
前記窓部は、前記外部部材の一部を拡大して外部に透過させる拡大レンズで構成された、
ことを特徴とする請求項１に記載の電子機器。
【請求項４】
前記上壁に形成されるとともに、前記発光部の光を透過する第２の窓部を有した、
ことを特徴とする請求項１に記載の電子機器。
【請求項５】
前記上壁は光を透過する部材で構成され、前記窓部は、開口を有した箔を前記上壁表面に張ることで形成された、
ことを特徴とする請求項１に記載の電子機器。
【請求項６】
前記窓部は、前記第２の開口部に収容された前記外部部材の表面に示されたインデックス情報が視認可能な位置に形成された、
ことを特徴とする請求項１に記載の電子機器。
【請求項７】
前記上壁は前記第１の開口部の近傍にパームレスト部を有し、
前記窓部は、パームレスト部に形成された、
ことを特徴とする請求項１に記載の電子機器。
【発明の詳細な説明】
【技術分野】
【０００１】
本発明は、メモリーカード等の外部媒体を接続するコネクタを備えた電子機器およびカバー部材に関するものである。
【背景技術】
【０００２】
近年、コンパクトフラッシュ（登録商標）カード（以下、ＣＦカードという。）やＳＤ（Ｓｅｃｕｒｅ  Ｄｉｇｉｔａｌ）メモリーカードのようなメディアカードを挿入して内部のコネクタに接続するメディアカードコネクタを備えたノートＰＣ（Ｐｅｒｓｏｎａｌ  Ｃｏｍｐｕｔｅｒ）が、多く普及している。
【０００３】
メディアカードは、通常、ノートＰＣの側面などに設置されている挿入口からノートＰＣ内部に挿入されるが、メディアカードが挿入されている状態では、メディアカードに記憶されている内容が記載されたインデックスを確認することができなかった。
【０００４】
かかる問題を解決する技術として、筺体の外部より視認可能とする表示窓を設ける方法がある。具体的には、携帯電話機の表示窓を透明樹脂製等による表示窓を設けた構成とした技術が開発されている（例えば、特許文献１）。
【０００５】
【特許文献１】特開平１０−６５３５７号公報
【発明の開示】
【発明が解決しようとする課題】
【０００６】
しかし、この方法によると、例えば、暗闇ではメディアカードの挿抜状態を確認することができないという問題がある。
【０００７】
本発明は、上記に鑑みてなされたものであって、メディアカードのメディアカードコネクタへの挿抜状態およびメディアカードコネクタに接続されているメディアカードの種類またはインデックスを容易に確認することができる電子機器を提供することを目的とする。
【課題を解決するための手段】
【０００８】
上述した課題を解決し、目的を達成するために、本発明は、キーボードと、上壁と、当該上壁に形成されるとともに前記キーボードが載置される第１の開口部と、外部部材を収納する第２の開口部とを有した筐体と、前記筐体内に設けられ、発光する発光部と、を備え、前記筺体は、前記上壁に形成されるとともに、前記発光部からの光を透過させる窓部を有し、前記第２の開口部は、前記窓部と前記発光部との間に形成され、前記発光部から前記窓部までの少なくとも一部の光路を遮断する位置に前記外部部材を収容する、ことを特徴とする。
【発明の効果】
【０００９】
本発明によれば、メディアカードのメディアカードコネクタへの挿抜状態およびメディアカードコネクタに接続されているメディアカードの種類及びインデックスを容易に確認することができるという効果を奏する。
【発明を実施するための最良の形態】
【００１０】
以下に添付図面を参照して、この発明にかかる電子機器の最良な実施の形態を詳細に説明する。本実施の形態は、電子機器としてノートＰＣに適用したものである。なお、この実施の形態によりこの発明が限定されるものではない。
【００１１】
図１は、本実施の形態にかかるノートＰＣを示す外観斜視図である。ノートＰＣ１は、機器本体２と、この機器本体２に支持されたディスプレイユニット３とを備えている。機器本体２は、例えば合成樹脂で形成された筐体４を備えている。筐体４は、ベース５および本体カバー６を有し偏平な矩形箱状をなしている。
【００１２】
ディスプレイユニット３は、偏平な矩形箱状のハウジング１８と、ハウジング１８内に収納された液晶表示パネル１３とを備えている。ハウジング１８は、その一端部から突出した一対の脚部１９を有している。これらの脚部１９は、図示しないヒンジ部を介して、筐体４の後端部に回動自在に支持されている。これにより、ディスプレイユニット３は、キーボード１２を上方から覆うように倒される閉じ位置と、キーボード１２の後方において起立する開き位置とに亘って回動可能となっている。
【００１３】
筐体４において、中央部にはキーボード載置部１１が設けられ、キーボード載置部１１にキーボード１２が載置されている。本体カバー６の後端左右部には、それぞれスピーカ１４が設けられている。
【００１４】
本体カバー６の上面前端部はパームレスト部１６を構成し、このパームレスト部１６のほぼ中央にはタッチパッド１５およびクリックボタン１７が設けられている。また、本体カバー６の上面左端部には、カードカバー７が設けられている。
【００１５】
カードカバー７は、側面に、外部機器であるメディアカード２０を挿入する挿入口８を有し、上面に、透明な部材で構成されている透明窓２４を有する。透明窓２４は、筺体４の内部に挿入されたメディアカード２０の一部を透過可能にし、かつ、筺体４の内部に設置されているＬＥＤ（Ｌｉｇｈｔ  Ｅｍｉｔｔｉｎｇ  Ｄｉｏｄｅ）発光部２９（図４参照）の光を透過させる窓である透明窓２４を有する。
【００１６】
メディアカード２０には、記憶内容が記載されたインデックス２１等が添付されており、透明窓２４により、ユーザは、インデックス２１を外部から読み取ることができる。また、メディアカード２０にインデックス２１が貼付されていない場合であっても、挿入されたメディアカード２０の形状が透過されるため、メディアカード２０の種類をユーザが外部から確認することもできる。
【００１７】
なお、挿入される外部機器は、メディアカードに限定されず、筺体４内のコネクタに接続されるＰＣカードなどであってもよい。
【００１８】
図２は、カードカバー７付近を示す分解斜視図である。カードカバー７が有する透明窓２４の下部には、筺体４の内部にメディアカード２０が挿入されていない状態で、光が透過されるＬＥＤ発光部２９が設置されている。一方、筺体４の内部にメディアカード２０が挿入されている場合には、ＬＥＤ発光部２９は挿入されたメディアカード２０により遮蔽され、透明窓２４に光は透過しない。
【００１９】
このように、透明窓２４の下部にＬＥＤ発光部２９を設けることにより、メディアカード２０が筺体４の内部に挿入されていない場合には、ＬＥＤ発光部２９の光が透明窓２４に透過するので、ユーザは、筺体４にメディアカード２０が挿入されていないことを容易に確認することができる。
【００２０】
また、透明窓２４として、拡大レンズを使用することも可能であり、拡大レンズを使用した場合には、インデックス２１に記載されている文字が拡大されるので、ユーザはインデックス２１の記載情報を一層容易に読み取ることができる。
【００２１】
図３は、メディアカード２０がメディアカードコネクタ２７に接続された状態のカードカバー７付近を示す分解斜視図である。筺体４の内部であって、カードカバー７の左側面付近の位置には、メディアカードコネクタ２７が設けられている。図３は、メディアカード２０が挿入口８からメディアカードコネクタ２７に接続された状態を示している。
【００２２】
図４は、筺体４の透明窓２４付近を示す断面図である。以下、透明窓２４付近の断面構造を筺体４の底面から上面へ説明する。筺体４のベース５の上には基板２８が設けられており、基板２８の上に、メディアカードコネクタ２７とＬＥＤ発光部２９が設置されている。
【００２３】
メディアカードコネクタ２７は、メディアカード２０を差し込み可能なコの字型形状であり、図４に示すように、メディアカード２０がメディアカードコネクタ２７のコの字部分に挿入され、メディアカードコネクタ２７に接続されている。
【００２４】
ＬＥＤ発光部２９は、メディアカードコネクタ２７へのメディアカード２０の挿入を許容する領域である機器挿入領域を隔てて透明窓２４に対向して配置されている。つまり、図４に示すように、ＬＥＤ発光部２９は、メディアカード２０がメディアカードコネクタ２７に接続されると上部が被覆される位置であって、透明窓２４の下部に相当する位置に設置されている。
【００２５】
透明窓２４は、メディアカード２０のインデックス２１が外部から視認可能な位置に設置されている。
【００２６】
ここで、図５を用いて、ＬＥＤ発光部２９の設置位置と光の透過状態について詳述する。図５は、カードカバー７の分解斜視図である。カードカバー７は、透明窓２４を備え、Ｌ字型形状の部品で構成されている。
【００２７】
なお、カードカバー７は、例えば本体カバー６の一部として光を透過可能な部材で構成され、外表面又は内表面における領域に対して塗装や印刷、或いは開口を有したインモールド箔を施すことで透明窓２４を形成する。また、透明窓２４は、本体カバー６とは別部材として構成されるとともに接着又は、溶着、両面テープ貼付等により本体カバー６に固定されている構成でもよい。
【００２８】
ＬＥＤ発光部２９の光は、メディアカード２０がメディアカードコネクタ２７に接続されていない状態では、ＬＥＤ発光部２９は開放されているので、透明窓２４にＬＥＤ発光部２９からの光が透過するようになっている。一方、メディアカードコネクタ２７にメディアカード２０が接続されると、メディアカード２０がＬＥＤ発光部２９を塞ぎ、透明窓２４への光は遮光されることになる。
【００２９】
このように、透明窓２４が透明な部材で構成されていることから、メディアカード２０が挿入されていない状態では、ユーザは、透明窓２４に透過したＬＥＤ発光部２９の光を目視することができ、メディアカード２０が挿入されていないことを容易に確認することができる。
【００３０】
また、メディアカード２０がメディアカードコネクタ２７に接続されている場合には、ＬＥＤ発光部２９の光は遮光され、透明窓２４は暗い状態であるため、ユーザは、メディアカード２０が挿入されていることを容易に確認することができる。
【００３１】
以上のとおり、ノートＰＣ１は、ユーザが、ノートＰＣ１による作業中に視界に入る面であるキーボード載置部１１が形成された面と同じ面に透明窓２４を有するカードカバー７を備えたことにより、ユーザが、メディアカードコネクタ２７に接続されているメディアカード２０のインデックス２１を容易に確認することができる。
【００３２】
次に、カードカバー７についての他の変形例を示す。図６と図７は、カードカバーの変形例を示す斜視図である。カードカバー７（図２参照）では、カードカバー７が有する窓は、透明窓２４だけであり、透明窓２４がインデックス２１と、ＬＥＤ発光部２９の光を透過させていた。
【００３３】
これに対し、以下に説明する変形例では、透明窓３１、４１（図６、図７参照）とは別に、ＬＥＤ発光窓３２、４２（図６、図７参照）を設け、インデックス２１を視認するエリアと、ＬＥＤ発光部２９の光を視認するエリアを区分した。
【００３４】
図６は、カードカバー３０を示しており、カードカバー３０には、透明窓３１の上部に略楕円形のＬＥＤ発光窓３２が設けられている。
【００３５】
図７は、カードカバー４０を示しており、カードカバー４０には、透明窓４１の右側面部に長方形のＬＥＤ発光窓４２が設けられている。
【００３６】
また、図７については、透明窓４１は、カードカバー３０（図６参照）よりも面積が広いため、メディアカード２０に添付されているインデックス２１の記載情報の読み取り可能な範囲を広げることができる。
【００３７】
このように、ノートＰＣ１は、ユーザが、ノートＰＣ１による作業中に視界に入る面であるキーボード載置部１１が形成された面と同じ面に透明窓３１を備えたことにより、ユーザが、メディアカードコネクタ２７に接続されているメディアカード２０のインデックス２１を容易に確認することができる。
【００３８】
また、ＬＥＤ発光窓３２，４２は、キーボード載置面１１が形成された面と同じ面に設けられていることから、ユーザは、キーボード操作中に視界を大きく移動させることなく、メディアカード２０の挿抜状態を明確に目視することができる。
【００３９】
以上、図６と、図７に、カードカバー７の変形例を示したが、これらは例示であり、これらに限定されない。この他についても、外面をインモールド箔等で光らせたい部分のみを透明にすることで、ＬＥＤ発光窓の形状を、丸や三角、アイコンにする等、自由に設定可能となる。
【００４０】
また、本実施例では、電子機器としてノートＰＣに適用して説明したが、ノートＰＣのほか、カードリーダやカメラなどにも応用可能である。
【図面の簡単な説明】
【００４１】
【図１】本実施の形態にかかるノートＰＣを示す外観斜視図である。
【図２】カードカバー付近を示す分解斜視図である。
【図３】メディアカードがメディアカードコネクタに接続された状態のカードカバー付近を示す分解斜視図である。
【図４】筺体の透明窓付近を示す断面図である。
【図５】カードカバーの分解斜視図である。
【図６】カードカバー付近を示す分解斜視図である。
【図７】カードカバー付近を示す分解斜視図である。
【符号の説明】
【００４２】
１  ノートＰＣ
２  機器本体
３  ディスプレイユニット
４  筺体
５  ベース
６  本体カバー
７  ３０  ４０  カードカバー
８  挿入口
３２  ４２  ＬＥＤ発光窓
１１  キーボード載置部
１２  キーボード
１３  液晶表示パネル
１４  スピーカ
１５  タッチパッド
１６  パームレスト部
１７  クリックボタン
１８  ハウジング
１９  脚部
２０  メディアカード
２１  インデックス
２４  ３１  ４１  透明窓
２７  メディアカードコネクタ
２８  基板
２９  ＬＥＤ発光部
【図１】
2010146397.tif 000003
【図２】
2010146397.tif 000004
【図３】
2010146397.tif 000005
【図４】
2010146397.tif 000006
【図５】
2010146397.tif 000007
【図６】
2010146397.tif 000008
【図７】
2010146397.tif 000009